(57)【要約】【課題】物品の製造あるいは取扱に関わる業務を効率的にするための工程管理装置等を提供することである。【解決手段】３次元製品データベース１２が記憶する３Ｄデータが表す製品の部品の形状や属性に変更が生じると、工程管理サーバ１１がこれを検知し、部品の仕入先に、部品の変更を通知する。これを受けて工程申請端末２１から工程変更申請データが供給されると、担当者等が審査したうえ、工程管理サーバ１１から仕入先に、部品の加工工程の変更を承認する通知が送られる。この通知は仕入先の各部署の端末に転送され、仕入先の各部署に部品の加工工程の変更が周知される。また、工程管理サーバ１１は、部品の加工工程の変更を承認する通知を送る場合、発注元の各部署や各データベースの管理者にもアラームを送る。この結果、発注元の各部署等にも部品の加工工程の変更が周知される。【選択図】  図１
2004310365.tif 000002
【特許請求の範囲】
【請求項１】
製品を構成する部品を示す部品データにアクセスする手段と、
前記部品データが表す部品の加工工程に変更が生じたか否かを検知し、変更が生じたことを検知したとき、変更が生じた当該部品の加工工程を示すデータの利用先及び／又は管理先に、変更が生じた旨を通知する手段と、
より構成されることを特徴とする工程管理装置。
【請求項２】
製品を構成する部品を示す部品データにアクセスし、
前記部品データが表す部品の加工工程に変更が生じたか否かを検知し、変更が生じたことを検知したとき、変更が生じた当該部品の加工工程を示すデータの利用先及び／又は管理先に、変更が生じた旨を通知する、
ことを特徴とする工程管理方法。
【請求項３】
コンピュータを、
製品を構成する部品を示す部品データにアクセスする手段と、
前記部品データが表す部品の加工工程に変更が生じたか否かを検知し、変更が生じたことを検知したとき、変更が生じた当該部品の加工工程を示すデータの利用先及び／又は管理先に、変更が生じた旨を通知する手段と、
して機能させるためのプログラム。
【発明の詳細な説明】
【０００１】
【発明の属する技術分野】
この発明は、物品の加工工程を管理するための工程管理装置、工程管理方法及びプログラムに関する。
【０００２】
【従来の技術】
製品を加工する場合は、加工工程の内容やスケジュールに変更が生じることがよくある。このため、加工工程の変更を作業者等に指示し、また加工工程内の様々な作業のスケジュールの調整をする必要がある。この問題を解決するため、作業のスケジュールの調整を図る工夫がなされてきた（例えば、特許文献１参照）。
【０００３】
【特許文献１】
特開平１１−１２９１４７号公報
【０００４】
【発明が解決しようとする課題】
製品が複数の部品からなっている場合、製品の加工工程が変更される原因としては、製品の設計変更などによりその部品の形状、材質、コストなどが変更され、これが製品全体の加工工程に反映される、というものが考えられる。
しかし、製品の製造者は、複数の種類の製品について同一の部品を用いることがあり、その一方で製造工程の管理は、製品毎に行っている。このため、ある製品の設計変更などにより部品に変更が生じると、この部品を用いる他の製品の製造や取扱に関わる業務が混乱し、効率化が阻害されていた。
【０００５】
この発明は、上述した問題点に鑑みてなされたもので、物品の製造あるいは取扱に関わる業務を効率的にするための工程管理装置、工程管理方法及びプログラムを提供することを目的とする。
【０００６】
【課題を解決するための手段】
前記目的を達成するために、この発明の第１の観点に係る工程管理装置は、
製品を構成する部品を示す部品データにアクセスする手段と、
前記部品データが表す部品の加工工程に変更が生じたか否かを検知し、変更が生じたことを検知したとき、変更が生じた当該部品の加工工程を示すデータの利用先及び／又は管理先に、変更が生じた旨を通知する手段と、
より構成されることを特徴とする。
【０００７】
このような工程管理装置によれば、ある製品の部品の加工工程が変更されると、この部品について加工工程の変更があった旨が外部に通知される。このため、例えばこの部品を用いる他の製品の製造や取扱に関わる者は、この部品の加工工程の変更の有無を調査しなくても済み、各自の業務が効率的になる。
【０００８】
また、この発明の第２の観点に係る工程管理方法は、
製品を構成する部品を示す部品データにアクセスし、
前記部品データが表す部品の加工工程に変更が生じたか否かを検知し、変更が生じたことを検知したとき、変更が生じた当該部品の加工工程を示すデータの利用先及び／又は管理先に、変更が生じた旨を通知する、
ことを特徴とする。
【０００９】
このような工程管理方法によれば、ある製品の部品の加工工程が変更されると、この部品について加工工程の変更があった旨が外部に通知される。このため、例えばこの部品を用いる他の製品の製造や取扱に関わる者は、この部品の加工工程の変更の有無を調査しなくても済み、各自の業務が効率的になる。
【００１０】
また、この発明の第３の観点に係るプログラムは、
コンピュータを、
製品を構成する部品を示す部品データにアクセスする手段と、
前記部品データが表す部品の加工工程に変更が生じたか否かを検知し、変更が生じたことを検知したとき、変更が生じた当該部品の加工工程を示すデータの利用先及び／又は管理先に、変更が生じた旨を通知する手段と、
して機能させるためのものであることを特徴とする。
【００１１】
このようなプログラムを実行するコンピュータは、ある製品の部品の加工工程が変更されると、この部品について加工工程の変更があった旨を外部に通知する。このため、例えばこの部品を用いる他の製品の製造や取扱に関わる者は、この部品の加工工程の変更の有無を調査しなくても済み、各自の業務が効率的になる。
【００１２】
【発明の実施の形態】
以下、図面を参照して、この発明の実施の形態を説明する。
図１は、この発明の実施の形態に係る工程管理システムの構成を示すブロック図である。
この工程管理システムは、図１に示すように、工程管理サーバ１１と、３次元製品データベース１２と、型注文書データベース１３と、見積書データベース１４と、ＱＣ（Ｑｕａｌｉｔｙ  Ｃｏｎｔｒｏｌ）工程図データベース１５と、検査規格書データベース１６と、資材部署端末１７と、技術部署端末１８と、検査部署端末１９と、工程申請端末２１と、工程承認結果確認端末２２と、型注文書受領端末２３と、見積書作成端末２４と、ＱＣ工程図作成端末２５と、検査規格書作成端末２６と、とより構成されている。
【００１３】
このうち、工程管理サーバ１１、３次元製品データベース１２、型注文書データベース１３、見積書データベース１４、ＱＣ工程図データベース１５、検査規格書データベース１６、資材部署端末１７、技術部署端末１８及び検査部署端末１９は、ＬＡＮ（Ｌｏｃａｌ  Ａｒｅａ  Ｎｅｔｗｏｒｋ）等を介して互いに接続されており、いずれも、製品を構成する部品の発注元（たとえば、製品の製造者等）に設置されている。
【００１４】
特に、資材部署端末１７は、発注元の資材部署（部品の調達を担当する部署）に設定されている。また、技術部署端末１８は、発注元の技術部署（製品の設計や製造を担当する部署）に設置されている。また、検査部署端末１９は、発注元の検査部署（製品や部品の検査を担当する部署）に設置されている。
【００１５】
一方、工程申請端末２１、工程承認結果確認端末２２、型注文書受領端末２３、見積書作成端末２４、ＱＣ工程図作成端末２５及び検査規格書作成端末２６は、部品の仕入先（たとえば、部品の製造者等）に設置されている。
【００１６】
具体的には、工程申請端末２１、工程承認結果確認端末２２は、仕入先において、発注元への工程の申請手続を担当する部署に設定されている。また、型注文書受領端末２３及び見積書作成は、仕入先において部品の受注や製造を担当する部署に設置されている。また、ＱＣ工程図作成端末２５は、仕入先において部品の品質管理の工程の具体的内容や実行者などを決定し、決定結果を示すＱＣ工程図を作成する部署に設置されている。また、検査規格書作成端末２６は、仕入先において部品の検査の手順や合否判定の基準等を決定し、決定結果を示す検査規格書を作成する部署に設置されている。
【００１７】
工程管理サーバ１１は、例えば公知のサーバコンピュータより構成されており、ＣＰＵ（Ｃｅｎｔｒａｌ  Ｐｒｏｃｅｓｓｉｎｇ  Ｕｎｉｔ）等からなるプロセッサや、ＲＡＭ（Ｒａｎｄｏｍ  Ａｃｃｅｓｓ  Ｍｅｍｏｒｙ）等からなる揮発性メモリや、ハードディスク装置等からなる不揮発性メモリや、キーボード等からなる入力部や、液晶ディスプレイ等からなる表示部や、ＬＡＮインターフェース回路及びモデム等からなる通信制御部などより構成されている。工程管理サーバ１１は、インターネット等からなるネットワークＮに接続されており、あらかじめ記憶するプログラムに従って、後述する処理を行う。
【００１８】
３次元製品データベース１２は、例えば、工程管理サーバ１１とは別個のコンピュータより構成されており、ＬＡＮインターフェース回路等からなる通信制御部を備えていて、ＬＡＮ等を介して工程管理サーバ１１に接続されている。
あるいは、工程管理サーバ１１が３次元製品データベース１２の機能を兼ねていてもよい。
【００１９】
３次元製品データベース１２は、製品の３次元形状や、この製品を構成する部品の３次元形状及び属性（例えば、材質や、品質の等級など）とを示す３Ｄデータを書き換え可能に記憶する。３Ｄデータは、例えば、技術部署端末１８がＣＡＤ（Ｃｏｍｐｕｔｅｒ  Ａｉｄｅｄ  Ｄｒａｆｔｅｒ）プログラムを実行することにより、発注元の技術部署の担当者の操作に従って作成され、３次元製品データベース１２に格納される。
【００２０】
型注文書データベース１３、見積書データベース１４、ＱＣ工程図データベース１５及び検査規格書データベース１６は、例えば、工程管理サーバ１１とは別個のコンピュータより構成されており、ＬＡＮインターフェース回路及びモデム等からなる通信制御部を備えていて、それぞれ、ＬＡＮ等を介して工程管理サーバ１１に接続されており、また、ネットワークＮにも接続されている。なお、１個のコンピュータが３次元製品データベース１２、型注文書データベース１３、見積書データベース１４、ＱＣ工程図データベース１５及び検査規格書データベース１６の一部又は全部の機能を兼ねていてもよい。
あるいは、型注文書データベース１３、見積書データベース１４、ＱＣ工程図データベース１５及び検査規格書データベース１６の一部又は全部が工程管理サーバ１１からなっていてもよい。
【００２１】
型注文書データベース１３は、部品の金型の形状等を示して仕入先に部品を発注するための型注文書を表すデータ（型注文書データ）を書き換え可能に記憶する。型注文書データは、例えば、資材部署端末１７がプログラムを実行することにより、型注文書データベース１３の管理者等（例えば、発注元の資材部署の担当者）の操作に従って作成され、型注文書データベース１３に格納される。
【００２２】
見積書データベース１４は、部品の価格についての見積書を表す見積書データを書き換え可能に記憶する。見積書データは、例えば、仕入先の見積書作成端末２４よりネットワークＮを介して送信され、見積書データベース１４に格納される。なお、見積書データベース１４に格納された見積書データは、主として資材部署端末１７によって読み出され、発注元の資材部署の担当者に閲覧され、利用される。
【００２３】
ＱＣ工程図データベース１５は、ＱＣ工程図を表すデータ（ＱＣ工程図データ）を書き換え可能に記憶する。ＱＣ工程図データは、例えば、仕入先のＱＣ工程図作成端末２５よりネットワークＮを介して送信され、ＱＣ工程図データベース１５に格納される。なお、見積書データベース１４に格納された見積書データは、主として資材部署端末１７や技術部署端末１８によって読み出され、発注元の資材部署や技術部署の担当者に閲覧され、利用される。
【００２４】
検査規格書データベース１６は、検査規格書を表すデータ（検査規格書データ）を書き換え可能に記憶する。検査規格書データは、例えば、仕入先の検査規格書作成端末２６よりネットワークＮを介して送信され、検査規格書データベース１６に格納される。なお、見積書データベース１４に格納された見積書データは、主として検査部署端末１９によって読み出され、発注元の検査部署の担当者に閲覧され、利用される。
【００２５】
資材部署端末１７、技術部署端末１８及び、検査部署端末１９は、それぞれ、例えば公知のパーソナルコンピュータより構成されていて、ＣＰＵ等からなるプロセッサや、ＲＡＭ等からなる揮発性メモリや、ハードディスク装置等からなる不揮発性メモリや、キーボード等からなる入力部や、液晶ディスプレイ等からなる表示部や、ＬＡＮインターフェース回路等からなる通信制御部などより構成されている。
資材部署端末１７、技術部署端末１８及び、検査部署端末１９は、各自があらかじめ記憶するプログラムを実行することにより、操作者の操作に従って、３次元製品データベース１２、型注文書データベース１３、見積書データベース１４、ＱＣ工程図データベース１５あるいは検査規格書データベース１６にアクセスし、その他後述する処理を行う。
【００２６】
工程申請端末２１、工程承認結果確認端末２２、型注文書受領端末２３、見積書作成端末２４、ＱＣ工程図作成端末２５及び検査規格書作成端末２６は、それぞれ、例えば公知のパーソナルコンピュータより構成されていて、ＣＰＵ等からなるプロセッサや、ＲＡＭ等からなる揮発性メモリや、ハードディスク装置等からなる不揮発性メモリや、キーボード等からなる入力部や、液晶ディスプレイ等からなる表示部や、モデム等からなる通信制御部などより構成されている。
【００２７】
工程申請端末２１、工程承認結果確認端末２２、型注文書受領端末２３、見積書作成端末２４、ＱＣ工程図作成端末２５及び検査規格書作成端末２６は、いずれもネットワークＮに接続されている。また、工程承認結果確認端末２２、型注文書受領端末２３、見積書作成端末２４、ＱＣ工程図作成端末２５及び検査規格書作成端末２６の通信制御部は、いずれもＬＡＮインターフェース回路等を備えており、互いに接続されている。
【００２８】
工程申請端末２１、工程承認結果確認端末２２、型注文書受領端末２３、見積書作成端末２４、ＱＣ工程図作成端末２５及び検査規格書作成端末２６は、各自があらかじめ記憶するプログラムを実行することにより、後述する処理を行う。
【００２９】
（動作）
次に、この実施形態の工程管理システムの動作を説明する。
図２は、この工程管理システムの動作を示すフローチャートである。
【００３０】
製品の製造者は、製品の設計変更などのためこの製品の部品の形状や属性に変更が生じた場合、変更後の３Ｄデータを技術部署端末１８等に作成させ、３次元製品データベース１２に記憶させる（図２、ステップＳ１）。あるいは、技術部署端末１８が操作者の操作に従って３次元製品データベース１２にアクセスし、あらかじめ３次元製品データベース１２に記憶させてあるこの製品の３Ｄデータを書き換えてもよい。
【００３１】
一方、工程管理サーバ１１は、３次元製品データベース１２を定期的に検索する等して、３Ｄデータが変更されたか否かを繰り返し判別する。そして、３Ｄデータが変更されたと判別すると（ステップＳ２）、工程管理サーバ１１は、３Ｄデータがどのように変更されたかを特定し、ネットワークＮを介し、工程申請端末２１に３Ｄデータの変更の内容を通知する（ステップＳ３）。この通知により、工程申請端末２１の操作者は、製品の変更に伴う工程の変更が必要か否かをチェックするよう促され、また、必要があれば工程の変更を申請するよう促される。
【００３２】
工程申請端末２１は、ステップＳ３で工程管理サーバ１１が発した通知を、ネットワークＮを介して受信する（ステップＳ４）。そして、仕入先の担当者は、この通知を操作者の操作に従って工程申請端末２１に表示させるなどして、３Ｄデータの変更に伴う部品の加工工程の変更が必要か否か、また、必要であれば工程をどのように変更するかを決定する。そして、変更の必要がないと決定した場合は以後の処理を中断する。
【００３３】
工程の変更をすると決定した場合、仕入先の担当者は、工程申請端末２１に、ネットワークＮを介し、工程管理サーバ１１へと、工程の変更を申請する旨のデータ（工程変更申請データ）を送信させる（ステップＳ５）。工程変更申請データは、どの部品の工程をどのように変更したいかを表すものとする。
【００３４】
工程管理サーバ１１は、工程変更申請データを、ネットワークＮを介して受信する（ステップＳ６）。そして、発注元の担当者は、工程変更申請データを操作者の操作に従って資材部署端末１７に表示させるなどして、この工程変更申請データが示す工程の変更を承認するか否かを決定する。そして、変更を承認しない場合は以後の処理を中断する。
【００３５】
工程変更申請データが表す工程の変更を承認すると決定した場合、発注元の担当者は、工程管理サーバ１１に、操作者の操作などに従い、工程の変更を承認する旨の指示を入力する（ステップＳ７）。
工程管理サーバ１１は、この指示に応答し、型注文書データベース１３の管理者に宛てて、アラームを送信する（ステップＳ８）。このアラームにより、型注文書データベース１３の管理者は、工程が変更されたことにより型注文書も変更する必要があるかをチェックするよう促され、また、必要があれば該当部分を変更するよう促される。
【００３６】
あるいは、型注文書データベース１３の管理者に宛ててアラームを送る代わりに、工程管理サーバ１１が、工程が変更されたことにより型注文書も変更する必要があるかを所定の手順に従って判別し、変更する必要があると判別した部分を書き換えるようにしてもよい。
【００３７】
また、ステップＳ８で工程管理サーバ１１は、見積書データベース１４、ＱＣ工程図データベース１５及び検査規格書データベース１６の管理者に宛てたアラームも送信する。このアラームにより、見積書データベース１４やＱＣ工程図データベース１５や検査規格書データベース１６の管理者は、工程が変更されたことにより見積条件やＱＣ工程や検査規格も変更する必要があるかをチェックするよう促され、また、必要があれば該当部分の変更を仕入先に依頼するよう促される。
【００３８】
なお、該当部分の変更依頼は、例えば、発注元の端末（例えば、資材部署端末１７、技術部署端末１８あるいは検査部署端末１９）を操作して、見積書、ＱＣ工程図あるいは検査規格書のうち変更を依頼する箇所を示すデータを、ネットワークＮを介して仕入先の端末（例えば、見積書作成端末２４、ＱＣ工程図作成端末２５あるいは検査規格書作成端末２６）に送信することにより行えばよい。
【００３９】
あるいは、見積書データベース１４やＱＣ工程図データベース１５や検査規格書データベース１６の管理者に宛ててアラームを送る代わりに、工程管理サーバ１１が、工程が変更されたことにより見積条件やＱＣ工程や検査規格も変更する必要があるかを所定の手順に従って判別し、変更する必要があると判別した部分について、仕入先に変更を依頼する旨のデータを、ネットワークＮを介し、仕入先の端末（例えば、工程承認結果確認端末２２）へと送信するようにしてもよい。
【００４０】
また、ステップＳ８で工程管理サーバ１１は、資材部署端末１７、技術部署端末１８、及び検査部署端末１９にもアラームを送信する。このアラームにより、資材部署、技術部署、及び検査部署に、工程が変更されたことが周知される。
【００４１】
また、ステップＳ８で工程管理サーバ１１は、工程承認結果確認端末２２へと、ネットワークＮを介し、工程の変更を承認する旨の通知を送信する。工程承認結果確認端末２２は、この通知を受信し、型注文書受領端末２３、見積書作成端末２４、ＱＣ工程図作成端末２５、及び検査規格書作成端末２６へとこの通知を転送する（ステップＳ９）。転送されたこの通知により、型注文書を受領する部署、見積書を作成する部署、ＱＣ工程図を作成する部署、及び検査規格書を作成する部署に、工程が変更されたことが周知される。
【００４２】
一方、ステップＳ８で型注文書のチェックを促された型注文書データベース１３の管理者等は、発注元の端末あるいは型注文書データベース１３を構成するコンピュータを操作して、変更後の新たな型注文書を表す型注文書データを作成し、ネットワークＮを介して仕入先の型注文書受領端末２３に送信する（ステップＳ１０）。
【００４３】
なお、見積書データベース１４の管理者等が見積条件の変更を仕入先に依頼していた場合は、見積書を作成する部署の担当者等は新たな見積条件を決定し、見積書作成端末２４を操作して、新たな見積条件を表す見積書データを作成し、ネットワークＮを介して見積書データベース１４に送る。この場合、見積書データベース１４は、この見積書データを受信して記憶する。
【００４４】
型注文書受領端末２３は、ステップＳ１０で送信された型注文書データを受信する。そして、仕入先の、ＱＣ工程図を作成する部署の担当者は、新たな型注文書の内容に基づいて、変更後の部品についてのＱＣ工程図を表すＱＣ工程図データを作成し、ネットワークＮを介してＱＣ工程図データベース１５に送信する（ステップＳ１１）。ＱＣ工程図データベース１５はこのＱＣ工程図データを受信して記憶する（ステップＳ１２）。なお、ＱＣ工程図データベース１５は、同一の部品についての古いＱＣ工程図を破棄するようにしてもよい。
【００４５】
また、ステップＳ１１では、仕入先の、検査規格書を作成する部署の担当者が、新たな型注文書の内容に基づいて、変更後の部品についての検査規格書を表す検査規格書データを作成し、ネットワークＮを介して検査規格書データベース１６に送信する。そして、ステップＳ１２では、検査規格書データベース１６がこの検査規格書データを受信して記憶する。なお、検査規格書データベース１６は、同一の部品についての古い検査規格書を破棄するようにしてもよい。
【００４６】
以上説明した動作を行うことにより、この工程管理システムでは、ある製品の設計変更などのため部品に変更が生じ、この部品の加工工程が変更されると、この部品について加工工程の変更があった旨が様々な部署に周知される。
このため、例えばこの部品を用いる他の製品の設計、部品調達あるいは検査など、この部品の取扱に関わる者は、この部品の加工工程の変更の有無を調査しなくても済むので、各自の業務を効率的に行えるようになる。
【００４７】
なお、この工程管理システムの構成は上述のものに限られない。
例えば、工程管理サーバ１１は、部品の加工工程の変更に限らず、部品の形状や属性あるいはその他の物理的性質や、部品のコストなどの変更に関わる任意の理由を検知の対象としてよい。
【００４８】
また、工程管理サーバ１１、型注文書データベース１３、見積書データベース１４、ＱＣ工程図データベース１５及び検査規格書データベース１６は、それぞれが別個にネットワークＮに接続されている必要はなく、例えば、工程管理サーバ１１、３次元製品データベース１２、型注文書データベース１３、見積書データベース１４、ＱＣ工程図データベース１５及び検査規格書データベース１６を互いに接続するＬＡＮ等に接続されたルータ等の通信制御装置を介してネットワークＮに接続されていればよい。
【００４９】
また、工程申請端末２１、工程承認結果確認端末２２、型注文書受領端末２３、見積書作成端末２４、ＱＣ工程図作成端末２５及び検査規格書作成端末２６も、それぞれが別個にネットワークＮに接続されている必要はなく、例えば、工程承認結果確認端末２２、型注文書受領端末２３、見積書作成端末２４、ＱＣ工程図作成端末２５及び検査規格書作成端末２６は、これら４個の端末を互いに接続するＬＡＮ等の通信回線に接続されたルータ等の通信制御装置を介してネットワークＮに接続されていればよい。工程申請端末２１がＬＡＮインターフェース回路等からなる通信制御部を備えていれば、工程申請端末２１もこの通信回線に接続されていてよく、この場合は、工程申請端末２１もこの通信制御装置を介してネットワークＮに接続されていればよい。
【００５０】
以上、この発明の実施の形態を説明したが、この発明にかかる工程管理システムは、専用のシステムによらず、通常のコンピュータシステムを用いて実現可能である。
例えば、ＬＡＮ等を介して互いに接続され、且つ少なくともいずれかがネットワークＮに接続されている１個以上のコンピュータに上述の工程管理サーバ１１、３次元製品データベース１２、型注文書データベース１３、見積書データベース１４、ＱＣ工程図データベース１５、検査規格書データベース１６、資材部署端末１７、技術部署端末１８及び検査部署端末１９の動作を実行させるためのプログラムを格納した記録媒体（ＣＤ−ＲＯＭ、ＤＶＤ−ＲＯＭ等）からこれらのプログラムをインストールし、ネットワークＮに接続されている他の１個以上のコンピュータに上述の工程申請端末２１、工程承認結果確認端末２２、型注文書受領端末２３、見積書作成端末２４、ＱＣ工程図作成端末２５及び検査規格書作成端末２６の動作を実行させるためのプログラムを格納した記録媒体からこれらのプログラムをインストールすることにより、上述の処理を実行する工程管理システムを構成することができる。
【００５１】
また、例えば、通信回線の掲示板（ＢＢＳ）にこれらのプログラムをアップロードし、これを通信回線を介して配信してもよく、また、これらのプログラムを表す信号により搬送波を変調し、得られた変調波を伝送し、この変調波を受信した装置が変調波を復調してこれらのプログラムを復元するようにしてもよい。
そして、これらのプログラムを起動し、ＯＳ（Ｏｐｅｒａｔｉｎｇ  Ｓｙｓｔｅｍ）の制御下に、他のアプリケーションプログラムと同様に実行することにより、上述の処理を実行することができる。
【００５２】
なお、ＯＳが処理の一部を分担する場合、あるいは、ＯＳが本願発明の１つの構成要素の一部を構成するような場合には、記録媒体には、その部分を除いたプログラムを格納してもよい。この場合も、この発明では、その記録媒体には、コンピュータが実行する各機能又はステップを実行するためのプログラムが格納されているものとする。
【００５３】
【発明の効果】
以上説明したように、この発明によれば、物品の製造あるいは取扱に関わる業務を効率的にするための工程管理装置、工程管理方法及びプログラムが実現される。
【図面の簡単な説明】
【図１】この発明の実施の形態に係る工程管理システムの構成を示す図である。
【図２】図１の工程管理システムの動作を示すフローチャートである。
【符号の説明】
１１      工程管理サーバ
１２      ３次元製品データベース
１３      型注文書データベース
１４      見積書データベース
１５      ＱＣ工程図データベース
１６      検査規格書データベース
１７      資材部署端末
１８      技術部署端末
１９      検査部署端末
２１      工程申請端末
２２      工程承認結果確認端末
２３      型注文書受領端末
２４      見積書作成端末
２５      ＱＣ工程図作成端末
２６      検査規格書作成端末
Ｎ      ネットワーク
【図１】
2004310365.tif 000003
【図２】
2004310365.tif 000004